(57)【要約】【課題】カード情報の基本情報及び継続情報に基づいてカード利用者の指定する端末に継続申請依頼を通知する。【解決手段】電子カード及び磁気カードのカード情報を読み取る読取り部と、読取り部で読み取った情報を認識する認識部と、認識部の認識結果に応じて自動改札機の改札扉を開閉制御する制御部と、認識部の認識情報を受けて自動改札機を管理する管理部とを備えた自動改札機の管理システムであって、管理部は、カード情報の有効期間情報、継続要否情報、連絡方法情報に基づいてカード利用者が指定する端末に継続時期である旨連絡する。【選択図】  図２
2007234064.tif 000002
【特許請求の範囲】
【請求項１】
電子カード及び磁気カードのカード情報を読み取る読取り部と、該読取り部で読み取った情報を認識する認識部と、該認識部の認識結果に応じて自動改札機の改札扉を開閉制御する制御部と、前記認識部の認識情報を受けて自動改札機を管理する管理部とを備えた自動改札機の管理システムであって、前記管理部は、前記カード情報の有効期間情報、継続要否情報、連絡方法情報に基づいてカード利用者が指定する端末に継続時期である旨連絡することを特徴とする自動改札機用カードの管理システム。
【発明の詳細な説明】
【技術分野】
【０００１】
本発明は、自動改札機用カードの管理システムに関する。
【背景技術】
【０００２】
近代社会において、一人当たり、複数のカード、例えば複数の交通機関のカード（定期券、切符、バスカード等）或いはその他のカード（ＡＴＭカード、ＩＣテレホンカード、ポイントカード、ギフトカード等）を所有していることは珍しくなく、しかもこれらのカードは、一般的には、一つのカード収納ケース或いはカード入れを兼用した財布等に入れて所有しているのが普通である。
【０００３】
一方、最近の鉄道機関を見ると、具体例ではＪＲ東日本株式会社より、「Ｓｕｉｃａ」と言う名称の「Ｓｕｉｃａ定期券」「Ｓｕｉｃａイオカード」等が普及されている。
【０００４】
この電子定期券の情報は、図３に示すように、自動改札機（情報認識装置）２０のカード読み取り部２１に「タッチ」するだけで、自動改札機の読み取り部によって読み取られる。自動改札機は、電子定期券の情報を情報認識部によってその情報を認識し、その認識結果に基づいて制御部をもって改札扉２２を開閉制御する。このように電子定期券は、鉄道機関の利用者にとって便利である。自動改札機には、磁気カード、例えば定期券、切符の出し入れ口部２３、２４と、該磁気カードの各種情報を読み取る読取り部（図示せず）と、該出し入れ口、デスプレイ部２５と、前記電子カード読み取り部２１にタッチした前記電子カードの情報を読み取る電子カード読み取り部（図示せず）及び上記両カード読取り部にて読み取った情報を認識処理し、正常の読取り時には自動改札機の改札扉２２を開閉し、異常の読取り時には改札扉２２を開くことなく、前記デスプレイ部２５に異常である旨表示制御する制御部（図示せず）等が設けられている。
【発明の開示】
【発明が解決しようとする課題】
【０００５】
一方、このような電子カードを単独でカード収納ケースに入れて利用する分には何ら問題がない。しかし、カード収納ケースに、この電子カード以外のカード、例えば磁気カード（他の交通機関の磁気カードや銀行用磁気カード、磁気化身分証明書等）やＩＣテレホンカード或いはコイン、貴金属等を入れた状態で利用した場合、自動改札機が誤動作を起こし、改札扉が開閉しない等の問題が発生する場合が生じる。その原因として、電子カードが、自動改札機と電波によりデータのやり取りを行なうことこと、或いは自動改札機が、電子カード専用でなく、既存の磁気カードタイプの定期券（カード）等が使用可能となっていることから、電子カード情報の読取り時にカード収納ケースに装着した別の磁気カードやＩＣカード等が、自動改札機の電子カード読取り部又は磁気読取り読取り部に反応し、電子カードの読取りに時に影響を与えていると考えられる。
【課題を解決するための手段】
【０００６】
本発明は、斯かる問題に鑑みなされ、その目的は、電子カードの、カード情報を認識可能な装置（例えば自動改札機）との間の利用に際して、誤動作を簡単に防止可能なカード収納ケースを提供することにある。
【０００７】
また、本発明の他の目的は、カード情報の基本情報及び継続情報に基づいてカード利用者の指定する端末に継続申請依頼を通知することが可能なカードの管理システムを提供することにある。
【０００８】
そのために、本発明では、例えば磁気カードを収納可能な磁気カード収納部と、電子カードを収納可能な電子カード収納部とを有し、前記電子カードを収納した状態で該カードの情報を読取り可能なカード収納ケースにおいて、前記電子カード収納部と前記磁気カード収納部との間に、例えば磁気シールド部材を設け、前記電子カードの利用時に前記磁気カードの影響を防止可能とした。
【０００９】
また、本発明では、カードの有効期間情報に基づいてカード利用者に継続手配依頼通知等が可能な管理部を設ける。
【発明の効果】
【００１０】
以上述べたように、本発明によれば、簡単な構成でもって、電子カードを有効に活用でき、電子カードを誤動作なく有効に利用できるカード収納ケースを提供できる。
【００１１】
また、本発明のシステムによれば、カード利用者が継続意志がある場合、その継続申請を有効に促すことができ、その管理、継続申請を効率よく対応可能である。
【発明を実施するための最良の形態】
【００１２】
図１〜図２は、二つ折りカード収納ケースを例にした本発明のカード入れ、つまりカード収納ケースを示す図である。図１は二つ折りカード収納ケースを閉じた状態の正面図、図２は開いた状態を示す図である。同図において、１は二つ折りカード収納ケースを示し、該カード収納ケース本体１１は、例えば布、革、合成樹脂等から構成されている。カード収納ケースを開いた状態における左側には、カードケース表面１２（図１参照）とカードケース裏面１３（図２参照）を構成するカード収納部１４が形成されるように三辺が糸縫してある。カード収納部１４には、電子カード、例えば交通機関で利用されている電子定期券４が装着される。電子定期券４には、その定期券の内部に設けられたメモリ（ＩＣチップ）に利用改札駅情報（利用駅区間情報）、使用開始及び有効期間情報、新規・継続情報、通勤・通学情報、個人情報（生年月日、住所、氏名、勤務先、電話番号、支払い方法）、金額情報等が電子的に記憶されている。この電子カードの構成については公知であるので、詳細説明は省略する。カード収納部１４の一辺はカードが収納可能に開放されている。カード収納部１４の表面１２には、カード４を収納したとき、そのカード表面が見えるように透明部材１５、例えばビニール材が取り付けてある。裏面にも同様に透明部材１６が設けてある。この裏面は必ずしも透明部材にする必要はない。カード収納ケース本体１１を開いた状態における右側及び中央部も同様にカード収納部１７、１８が形成されるように三辺が糸縫してある。カード収納部１７、１８等には、磁気カード５、例えば銀行ＡＴＭ用磁気カードや名刺、身分証明署等を収納可能である。３はカード収納部１４の裏面部に設けられた磁気シールド部材である。磁気シールド材３をシート状とすれば、裏面の透明部材１６に貼り付けても良い。或いは透明部材そのものを遮蔽部材としても良い。この場合には必ずしも透明部材にする必要がない。他の用途に応じて形成すれば良い。このように磁気シールド部材を設けることで、自動改札機（図３参照）による電子カードの読取り時に磁気カードの磁気による影響を防止することができる。具体的には交通機関における情報認識の誤動作を防止できる。
【００１３】
なお、実施例では、二つ折りの例を示しているが、この例に特定されるものではなく、少なくとも電子カードと共に磁気カードも入れることが可能のように構成されたカード収納ケースであれば良い。また、カード自身に磁気シールドを施しても良い。磁気シールド部材に代えて金属や他のＩＣカードからのデータの影響を防止するシールド部材としても良く、また両機能を有したシールド部材としても良い。また、自動改札機が磁気の影響を受けて電子カードの情報を認識できなかった場合、報知器にて警報するだけでなく、その理由が利用者に容易に判断できるように自動改札機のデイプレイ部に表示して利用者に告知するように構成しても良い。この場合には、自動改札機の制御部に電子カードが正常に読み取れなかったときや、有効期間が過ぎたり、不正な電子カードの使用時には従来と同様に異常表示すると共に電子カードの使用には何ら問題がない場合であって、電子カード以外の磁気カードの影響によって異常の場合には、その旨が判別可能な異常表示する機能を付加した構成とする。
【００１４】
図４は、自動改札機用カードの管理システムを示すブロック図である。図４において、管理システムは、電子カートセンサー４１、磁気カードセンサー４２からなるカート情報読取り部４０、該情報読取り部にて読み取った情報を認識するカード情報認識部４３、該認識部の認識結果に基づいて自動改札機の改札扉２２、デスプレイ部２５を制御すると共に認識結果を、自動改札機を管理する管理部４５を備えている。認識部４３は、例えば図５に示すカード情報の基本情報（利用駅区間（駅名）情報、使用開始及び有効期間情報、個別情報（会社名、氏名、住所、電話番号等の情報））と、カードの継続情報（定期券継続購入要否、継続連絡方法情報）を認識し、制御部４４は、その例えば有効期間情報をもって自動改札機の改札扉２２の開閉を制御し、また有効期間が過ぎた場合には改札扉２２を閉じた状態に制御すると共にデスプレイ部２５に異常である旨表示制御する。また制御部４４は、認識部４３で認識した各情報を情報管理部４５に伝送し、その情報を受けた管理部４５は、カード情報の更新要否情報に基づいて、つまり定期券継続購入要のときには、その連絡方法情報（電話番号、ＦＡＸ番号、メールアドレス、住所等）に基づいてカード利用者の端末（電話、ＦＡＸ、ＰＣ、ＰＤＣ）５０に通知し、例えば利用期間満了日又は満了日前に例えば１週間前に通知し、継続申請依頼を行なう。管理部４５からユーザ端末５０への連絡はユーザ端末に応じて有線（電話、ＦＡＸ）、無線（携帯電話）、インターネット（ＰＣ，ＰＤＣ）等を介して実行できる。これによってユーザへの利用性の向上を図ることが可能である。
【図面の簡単な説明】
【００１５】
【図１】本発明の一実施例を示すカード収納ケースの正面図。
【図２】本発明のカード収納ケースを開いた状態の正面図。
【図３】自動改札機の概念を示す斜視図。
【図４】自動改札機用カードの管理システムを示すブロック図。
【図５】カード情報を示す図。
【符号の説明】
【００１６】
１…カード収納ケース    １１…カード収納ケース本体    １４、１７、１８…カード収納部    １５、１６…透明部材    ３…磁気遮蔽部材    ４…電子カード    ５…磁気カード    ４０…センサー部    ４３…情報認識部    ４４…制御部    ４５…管理部    ５０…ユーザ端末
【図１】
2007234064.tif 000003
【図２】
2007234064.tif 000004
【図３】
2007234064.tif 000005
【図４】
2007234064.tif 000006
【図５】
2007234064.tif 000007